(57)【特許請求の範囲】
【請求項１】
天板が取り付けられて引出しが収容される収納用枠体であって、
前記収納用枠体は、下面と、後壁と、左右に設けられた一対の側壁とを備えて上方および前方が開放されており、
前記収納用枠体は、下部の寸法が上部の寸法よりも小さく、上下方向に積み重ね可能であり、かつ前記上下方向の一方において先細りの形状を有するリブを前記一対の側壁に備え、
前記収納用枠体は、前記上下方向において、自身の前記上下方向における寸法の５０％以上を隣接する前記収納用枠体と重畳させつつ複数積み重ね可能に構成され、
前記上下方向に複数積み重ねられたときに、下側の前記リブが上側の前記リブと前後方向の位置を一致させつつ少なくとも一部重畳する、
収納用枠体。
【請求項２】
請求項１に記載の収納用枠体と、
前記収納用枠体に着脱可能に取り付けられる天板と、
前記収納用枠体に収容される引出しと、
を備え、
前記収納用枠体、前記天板、および前記引出しが、それぞれ複数積み重ね可能に構成されている、
収納体。
【発明の詳細な説明】
【技術分野】
【０００１】
本発明は、収納用枠体、およびこの収納用枠体を備える収納体に関する。
【背景技術】
【０００２】
衣類等の収納物を押し入れ等に収納するための収納体が広く使用されている。一般に、収納体は、収納物が取出し可能に収納される引出しと、この引出しが挿入される収納枠体とを備えている。
【０００３】
収納体は、収納物を入れる前後で容積が同一であるため、非使用時における占有スペースが大きくなりがちであり、輸送コストや保管コストがかさみやすい。
この問題に関連して、特許文献１には、台枠と支柱との間に引き出しとして機能する収納箱が収容される組立収納ケースが記載されている。
特許文献１に記載の組立収納ケースは、収納箱を積み重ねるとともに、台枠および支柱を分解して積み重ねることにより、非使用時の容積を小さくできる。
【先行技術文献】
【特許文献】
【０００４】
【特許文献１】特開平７−２８９３６３号公報
【発明の概要】
【発明が解決しようとする課題】
【０００５】
特許文献１に記載の組立収納ケースは、非使用時の容積を小さくできるものの、使用状態にするためには台枠と多数の支柱とを組み立てる必要があり、組み立て作業が煩雑である。
【０００６】
上記事情を踏まえ、本発明は、非使用時の容積を小さくできるとともに、使用状態への組み立ても簡便に行える収納用枠体および収納体を提供することを目的とする。
【課題を解決するための手段】
【０００７】
本発明の第一の態様は、天板が取り付けられて引出しが収容される収納用枠体である。
この収納用枠体は、下面と、後壁と、左右に設けられた一対の側壁とを備えて上方および前方が開放されており、下部の寸法が上部の寸法よりも小さく、上下方向に積み重ね可能であり、かつ上下方向の一方において先細りの形状を有するリブを一対の側壁に備える。
収納用枠体は、上下方向において、自身の上下方向における寸法の５０％以上を隣接する収納用枠体と重畳させつつ複数積み重ね可能に構成され、上下方向に複数積み重ねられたときに、下側のリブが上側のリブと前後方向の位置を一致させつつ少なくとも一部重畳する。
【０００８】
本発明の第二の態様は、本発明に係る収納用枠体と、収納用枠体に着脱可能に取り付けられる天板と、収納用枠体に収容される引出しとを備える収納体である。
この収納体においては、収納用枠体、天板、および引出しが、それぞれ複数積み重ね可能に構成されている。
【発明の効果】
【０００９】
本発明によれば、非使用時の容積を小さくできるとともに、使用状態への組み立ても簡便に行える収納用枠体および収納体を提供できる。
【図面の簡単な説明】
【００１０】
【図１】本発明の一実施形態に係る収納体の斜視図である。
【図２】同収納体の収納用枠体を示す斜視図である。
【図３】同収納用枠体の正面図である。
【図４】同収納用枠体の右側面図である。
【図５】同収納体の引出しを示す斜視図である。
【図６】同引出しの背面図である。
【図７】同引出しの右側面図である。
【図８】４つの収納体を分解して積み重ねたスタックを示す斜視図である。
【図９】同スタックの右側面図である。
【発明を実施するための形態】
【００１１】
本発明の一実施形態について、図１から図９を参照して説明する。
図１は、本実施形態に係る収納体１を示す斜視図である。収納体１は、収納物が収容される引出し１０と、引出し１０を収容する枠体（収納用枠体）２０と、収納体の上部を覆う天板５０とを備えている。
収納体１の各部の材料に特に制限はないが、合成樹脂を使用すると製造が簡便である。
【００１２】
図２は、枠体２０の斜視図である。図３は、枠体２０の正面図である。図４は、枠体２０の右側面図である。図２から図４に示すように、枠体２０は、下部２１と、後壁２２と、一対の側壁２３Ａおよび２３Ｂとを備えており、上方および前方が開放されている。
後壁２２および側壁２３Ａ、２３Ｂの上部は、天板５０と着脱可能に係合できる。
【００１３】
下部２１は、平面視略長方形状であり、中央部が除去されて軽量化されている。下部２１は、接続された後壁２２および側壁２３Ａ、２３Ｂを支持するとともに、収容された引出し１０を支持する。
【００１４】
側壁２３Ａおよび側壁２３Ｂは、下部２１に接続されて上方に延びている。側壁２３Ａ、２３Ｂは、下部２１に対して垂直でなくわずかに傾斜しており、枠体２０の内側で下部２１となす角度がいずれも鈍角となっている。その結果、側壁２３Ａ、２３Ｂ間の距離は、図３に示すように、上端に近づくにつれて徐々に増加している。
【００１５】
後壁２２は、下部２１に接続されて上方に延びるとともに、左右方向の両端部が側壁２３Ａ、２３Ｂと接続されている。側壁２３Ａ、２３Ｂが上述のように傾斜しているため、後壁２２の外形は、上底が下底よりも長い等脚台形となっている。
後壁２２も、枠体２０の内側で下部２１と鈍角をなしており、図４に示すように、下部２１に対してわずかに後方に傾斜している。
【００１６】
図４に示すように、側壁２３Ａ、２３Ｂの前辺は、わずかに後方に傾斜している。
側壁２３Ａ、２３Ｂは、枠体２０の内側に突出するリブを有する。前側に配置された第一リブ２５は、略三角形状であり、後ろ側に配置された第二リブ２６は、上底が下底よりも短い等脚台形状である。第一リブ２５および第二リブ２６は、いずれも上端に近づくにつれて徐々に寸法が小さくなる先細り形状を有する。
側壁２３Ａ、２３Ｂはそれぞれ一枚の板状部材であるため、外側においては、第一リブ２５および第二リブ２６に対応した形状の凹部を有する。
【００１７】
上述した構成により、枠体２０は、下端における左右方向の寸法Ｄ１（図３参照）が、上端における左右方向の寸法Ｄ２よりも小さい。
【００１８】
図５は、引出し１０の斜視図である。引出し１０は、上方が開放された箱状に形成されており、全体的に枠体２０よりも一回り小さい寸法を有する。
引出し１０において、後壁１２および側壁１３は、枠体２０と概ね同様の態様で底面１１に対して傾斜している。したがって、引出し１０においても、下端における左右方向の寸法が、上端における左右方向の寸法よりも小さい。
【００１９】
図６は、引出し１０の背面図である。引出し１０の前部１５は、後壁１２と同様の等脚台形状であるが、左右方向の寸法が後壁よりわずかに大きく、枠体２０の内部に進入しない寸法となっている。
図７は、引出し１０の右側面図である。前部１５の前側１５ａは、底面１１に対して略垂直であるが、後側１５ｂは、枠体２０における側壁２３Ａ、２３Ｂの前辺と同程度に傾斜している。
【００２０】
以上の構成を有する本実施形態の収納体１の使用時の動作について説明する。
枠体２０の上部に天板５０を取り付けると、枠体２０の上部が天板５０で覆われる。引出し１０を後壁１２側から枠体２０内に進入させ、側壁２３Ａ、２３Ｂの前辺と前部の後側１５ｂとを十分に接近させると、引出し１０の前部１５を除いた部分を枠体２０の内部に収容できる。
組み立てられた収納体１は、上下方向に複数積み重ねることができる。
【００２１】
複数の収納体１を出荷する際や、複数の空の収納体１を保管する際は、収納体１を分解して積み重ねることにより、容積を小さくできる。
複数の収納体１の各々において、引出し１０を枠体２０外に移動して、天板５０を枠体２０から取り外す。続いて、複数の天板５０を上下方向に積み重ね、引出し１０も上下方向に積み重ねる。引出し１０は、上述したように、下端における左右方向の寸法が上端における左右方向の寸法よりも小さいため、一方の引出し１０の下部を、上方から他方の引出し１０に接近させることにより、一方の引出し１０の下部を他方の引出し１０の内部空間に進入させて積み重ねることができる。
【００２２】
収納体１においては、天板５０および引出し１０に加えて、枠体２０も上下方向（積み重ね方向）に積み重ねることができる。枠体２０においては、下端における左右方向の寸法Ｄ１が、上端における左右方向の寸法Ｄ２よりも小さいため、引出し１０を積み重ねるのと概ね同様の動作で複数の枠体２０を上下方向に積み重ねることができる。
積み重ねられた引出し１０を積み重ねられた枠体２０に重ね、最後に積み重ねられた天板を引出し１０に重ねると、最も容積を小さくして複数の収納体１が積み重ねられる。
【００２３】
図８および図９に、４つの収納体１を分解してから積み重ねたスタック１００を、それぞれ斜視図および左側面図で示す。
積み重ねられた複数の枠体２０において、上下方向に隣接する２つの枠体は、それぞれ上下方向の７０％以上が同一範囲に存在し、重畳している。これにより、スタック１００の高さは、組み立てられた収納体１を上下方向に４つ積み重ねた高さのおよそ１／２となり、組み立てられた収納体１を同数積み重ねるのに比べて著しく容積を削減できる。
【００２４】
以上説明したように、本実施形態の収納体１は、引出し１０、枠体２０、および天板５０の３つの部品からなる簡素な構成でありながら、枠体２０および引出し１０が、上下方向に大きく重畳させつつ積み重ね可能に構成されている。したがって、分解された状態で積み重ねてスタックとすることにより、使用時に比して著しく容積を圧縮することができる。その結果、輸送時や保管時におけるコストを大幅に削減することができ、使用者においても、不使用時の保管スペースを小さくすることができる。
収納体１の部品点数はわずか３つであるため、分解および組み立てのいずれも簡便に行える。
【００２５】
また、枠体２０に設けられた第一リブ２５および第二リブ２６がいずれも先細り形状であるため、枠体２０の積み重ね時にスムーズに重なり、積み重ね動作を妨げない。その結果、枠体２０の強度向上と容積圧縮とを好適に両立できる。
【００２６】
さらに、枠体２０を積み重ねると、隣接する枠体の第一リブ２５および第二リブ２６も重畳するため、第一リブ２５および第二リブ２６がストッパとなって積み重ねられた枠体２０が前後方向に相対移動しない。したがって、スタック１００の積み重ね状態が安定して保持される。
【００２７】
以上、本発明の一実施形態について説明したが、本発明の技術範囲は上記実施形態の記載に限定されるものではなく、本発明の趣旨を逸脱しない範囲において各構成要素に種々の変更を加えたり、削除したりすることが可能である。
【００２８】
例えば、収納用枠体を積み重ねた際に上下方向における重畳率は、上述した比率に限られず、適宜設定できる。重畳率は、側壁の傾斜角度や、リブの形状により容易に制御できるが、スタック形成による容積減少効果を十分に得る観点からは、重畳率を５０％以上とすることが好ましい。
【００２９】
収納用枠体の積み重ね方向は、上述した上下方向に限られない。例えば、後部の寸法を前部の寸法よりも小さくすることにより、前後方向に複数積み重ね可能に構成してもよい。
【符号の説明】
【００３０】
１  収納体
１０  引出し
２０  枠体（収納用枠体）
２５  第一リブ
２６  第二リブ
５０  天板
【要約】
【課題】非使用時の容積を小さくできるとともに、使用状態への組み立ても簡便に行える収納用枠体および収納体を提供する。
【解決手段】天板が取り付けられて引出しが収容される枠体２０は、所定の積み重ね方向において、自身の積み重ね方向における寸法の５０％以上を隣接する枠体２０と重畳させつつ複数積み重ね可能に構成されている。
【選択図】図３【図１】
0006820987.tif 000002
【図２】
0006820987.tif 000003
【図３】
0006820987.tif 000004
【図４】
0006820987.tif 000005
【図５】
0006820987.tif 000006
【図６】
0006820987.tif 000007
【図７】
0006820987.tif 000008
【図８】
0006820987.tif 000009
【図９】
0006820987.tif 000010